(57)【要約】【課題】公園などに常設を可能とし、誰でも気軽に利用することができる歩行運動用階段を提供する。【解決手段】本発明は、床面又は地面から所定の高さに位置する踊り場と、該踊り場と前記床面又は地面との間を連絡する階段とを備えた歩行運動用階段であって、前記階段は、ステップ高さが異なる少なくとも二種類以上からなり、何れか一つを選択的に歩行するよう構成されてなることを特徴とする。【選択図】      図４
2004305482.tif 000002
【特許請求の範囲】
【請求項１】
床面又は地面から所定の高さに位置する踊り場と、該踊り場と前記床面又は地面との間を連絡する階段とを備えた歩行運動用階段であって、前記階段は、ステップ高さが異なる少なくとも二種類以上からなり、何れか一つを選択的に歩行するよう構成されてなることを特徴とする歩行運動用階段。
【請求項２】
前記複数の階段は、横並びに配置されてなることを特徴とする請求項１記載の歩行運動用階段。
【請求項３】
前記複数の階段及び前記踊り場は、一体的な構造物であることを特徴とする請求項１又は２記載の歩行運動用階段。
【発明の詳細な説明】
【０００１】
【発明の属する技術分野】
本発明は、昇降歩行運動を行う際に使用される歩行運動用階段に関する。
【０００２】
【従来の技術】
老人や身体障害者等の非健常者が弱まっている足腰を鍛えるための歩行訓練がある。歩行訓練においては、平坦面を歩行したり、階段を昇降歩行するなどの訓練を行うことになるが、階段の昇降歩行訓練に使用される歩行訓練用階段としては、階段のステップ高さを可変にしたものが公知である（特許文献１，２）。
【０００３】
【特許文献１】
特開平１０−１３７３０５号公報
【特許文献２】
特開平１１−１８１９８３号公報
【０００４】
【発明が解決しようとする課題】
この種の歩行訓練用階段は、ステップ高さを調整することにより、被訓練者の体力や体調、あるいはリハビリの程度に応じた適切な訓練を可能とする点で優れている。しかしながら、被訓練者が替わる度、あるいは被訓練者の体調が変わる度にステップ高さを変更する必要があり、汎用性に欠ける。しかも、調整機構が複雑であるため、高価である。
【０００５】
そこで、本発明は、公園などに常設を可能とし、誰でも気軽に利用することができる歩行運動用階段を提供することを課題とする。
【０００６】
【課題を解決するための手段】
本発明は、上記課題を解決するためになされたもので、床面又は地面から所定の高さに位置する踊り場と、該踊り場と前記床面又は地面との間を連絡する階段とを備えた歩行運動用階段であって、前記階段は、ステップ高さが異なる少なくとも二種類以上からなり、何れか一つを選択的に歩行するよう構成されてなることを特徴とする。
【０００７】
ステップ高さが低くなるほど利用者に対する負担が小さくなるところ、上記構成からなる歩行運動用階段では、利用者は自分の体力、体調、あるいはリハビリの程度に応じて自分に合った階段を選択して歩行する。ステップ高さが異なる複数の階段が常設されているため、従来の歩行訓練用階段のようにいちいちステップ高さを変える必要がなくなるのである。
【０００８】
また、本発明に係る歩行運動用階段は、複数の階段が横並びに配置されてなる構成を採用することができる。かかる構成からなる歩行運動用階段によれば、昇りを開始する地点と降りた地点とが近くなるため、利用者は昇り降りの繰り返しを連続的に行うことができる。
【０００９】
また、本発明に係る歩行運動用階段は、複数の階段及び踊り場が一体的な構造物である構成を採用することができる。かかる構成からなる歩行運動用階段によれば、例えばコンクリート構造物とする等して、比較的安価に製造することができ、また、公園等の常設に適したものとなる。
【００１０】
【発明の実施の形態】
以下、本発明に係る歩行運動用階段の一実施形態について図面を参酌しつつ詳細に説明する。
【００１１】
出願人は、日常身近にある近隣公園をターゲットに、誰もが集え、魅力ある公園とするため、「軽運動」、「バリアフリー」、「安らぎ憩い」をキーワードに心身ともにリフレッシュできる新しい公園（「シニアアスレチックパーク」と称する）を提案するが、本実施形態に係る歩行運動用階段は、「軽運動」のための一つのアイテムである。
【００１２】
図１〜図３に示す如く、本実施形態に係る歩行運動用階段１は、床面（地面）Ｐから所定の高さに位置する踊り場２と、該踊り場２と床面Ｐとの間を連絡する階段３と、該階段３から踊り場２に亘って設けられた手摺り４とから構成されている。
【００１３】
階段３は、ステップ高さが異なる少なくとも二種類以上の階段を備えており、本実施形態においては、第一階段３ａ、第二階段３ｂ、第三階段３ｃ、第四階段３ｄの四種類からなる。より詳しくは、第一階段３ａは、ステップ高さが２００ｍｍでステップ数が６段の階段であり、第二階段３ｂは、ステップ高さが１００ｍｍ（即ち第一階段３ａの２分の１）でステップ数が１２段の階段であり、第三階段３ｃは、ステップ高さが１５０ｍｍでステップ数が１５段の階段であり、第四階段３ｄは、ステップ高さが２００ｍｍ（即ち第一階段３ａと同一）でステップ数が６段である。
【００１４】
また、複数の階段３ａ〜３ｄは、横並びに配置され、且つそれぞれ上端（踊り場２に接続される端）及びそれぞれ下端（床面Ｐに接続される端）が横並びに揃えられている。従って、階段３ａ〜３ｄの昇降方向は平行であり、各階段３ａ〜３ｄの長さ（平均勾配）も同一である。
【００１５】
そして、これら階段３ａ〜３ｄ及び踊り場４は、例えばコンクリートを型枠に流し込むことにより一体的に形成されており、下部の基礎部分が地中に埋設されるようになっている。
【００１６】
手摺り４は、左右の階段３ａ，３ｄの外側方端及び踊り場２の周縁に沿って配置された第一手摺り４ａと、階段３ｂ，３ｃの間に沿って配置された第二手摺り４ｂとからなる。尚、第一手摺り４ａには、施設利用者が落下するのを防止するための柵５が付設されている。
【００１７】
本実施形態に係る歩行運動用階段は以上の構成からなり、次にこの歩行運動用階段の使用方法について図４に基づき説明する。
【００１８】
施設利用者は、自分の体力に合った階段を選択する。ステップ高さは、第一階段３ａ（第四階段３ｄ）よりは第三階段３ｃ、第三階段３ｃよりは第二階段３ｂが低くなっており、その分、利用者に対する負担が少なくなっている。昇りと降りの両方を同じ階段で行ってもよいし、昇りと降りをそれぞれ階段を変えるようにしてもよい。
【００１９】
階段を選択すると、利用者は昇り及び降りを無理しない程度に繰り返し行う。繰り返しの途中で階段を変えるようにしてもよいが、第一階段３ａ及び第二階段３ｂを昇り用（降り用）とし、第三階段３ｃ及び第四階段３ｄを降り用（昇り用）とし、巡回的に歩行することも可能である。何れにしても手摺り４を掴みながら歩行するのが安全である。
【００２０】
このように、本実施形態に係る歩行運動用階段は、昇降歩行運動を通じて、筋力の向上を図り、足腰を鍛えることができる。このため、運動としてではなく、訓練として利用することも可能である。
【００２１】
また、各階段３ａ〜３ｄは、それぞれ幅が約５００ｍｍ（人の肩幅以上）に設定されており、すれ違い様に肩が触れるようなことはないため、複数の人が施設を同時に利用することができる。
【００２２】
尚、本発明に係る歩行運動用階段は、上記実施形態に限定されるものではなく、本発明の要旨を逸脱しない範囲で種々の変更が可能である。
【００２３】
例えば、上記実施形態においては、四本の階段を設けるようにしているが、二本であっても、三本であっても、五本以上であってもよい。それぞれのステップ高さも適宜変更可能である。
【００２４】
また、上記実施形態においては、四本の階段を横並びに配置し、昇りを開始する地点と降りた地点とが近くなるようにしているが、これに限らず、昇り用と降り用の階段を分け（この場合、少なくとも一方は、ステップ高さが異なる少なくとも二種類以上の階段を横並びに配置する構成とする）、昇りを開始する地点と降りた地点とが離れるようにしてもよい。
【００２５】
【発明の効果】
以上のように、本発明に係る歩行運動用階段は、ステップ高さが異なる少なくとも二種類以上の階段が設けられているため、利用者は、従来の歩行訓練用階段のようにいちいちステップ高さを変える必要がなく、適宜自分に合った階段を選択することができる。従って、汎用性があり、公園に設置する等すれば、誰でも気軽に利用することができる。
【図面の簡単な説明】
【図１】本発明の一実施形態に係る歩行運動用階段の側面図を示す。
【図２】同実施形態に係る歩行運動用階段の正面図を示す。
【図３】同実施形態に係る歩行運動用階段の平面図を示す。
【図４】同実施形態に係る歩行運動用階段の斜視図を示す。
【符号の説明】
１…歩行運動用階段、２…踊り場、３…階段、３ａ…第一階段、３ｂ…第二階段、３ｃ…第三階段、３ｄ…第四階段、４…手摺り、４ａ…第一手摺り、４ｂ…第二手摺り、５…柵、Ｐ…床面（地面）
【図１】
2004305482.tif 000003
【図２】
2004305482.tif 000004
【図３】
2004305482.tif 000005
【図４】
2004305482.tif 000006